(57)【要約】【課題】就寝時に身体を動かした際に身体を被っている掛布団等がベッドから落下するのを防止する。【解決手段】側面に、複数個のサイドレールボルト孔を連接してなるサイドレールボルト孔列を所定間隔が、その整数倍の間隔で複数段設けてなるサイドレールと、上記サイドレールボルト孔列のサイドレールボルト孔のピッチと等しいピッチを有する布団ガードボルト孔を、前記サイドレールボルト孔列と同間隔で複数段設けてなる布団ガードとよりなる。【選択図】図１
0003152094.tif 000002
【実用新案登録請求の範囲】
【請求項１】
側面に、複数個のサイドレールボルト孔を連接してなるサイドレールボルト孔列を複数段設けてなるサイドレールと、上記サイドレールボルト孔列のサイドレールボルト孔のピッチと等しいピッチの布団ガードボルト孔を、前記サイドレールボルト孔列と同間隔でサイドレールボルト孔列より多い複数段設けてなる布団ガードとよりなり、サイドレールと布団ガードとは、ボルト孔に挿入したボルトにより固定されていることを特徴とする布団ガードを有するベッド。
【請求項２】
布団ガードは、サイドレールに対し、直交する方向にベッド上方に延びる板状体をなしていることを特徴とする請求項１に記載の布団ガードを有するベッド。
【考案の詳細な説明】
【技術分野】
【０００１】
本考案は、就寝時、就寝者が体を動かすことにより、使用している掛布団がずれ落ちするのを防止するための布団ガードを有するベッドに関する。
【背景技術】
【０００２】
ベッドを用いて就寝する場合、就寝者が寝返りなどで体を動かすことによって、掛布団など就寝者を被っている寝具が就寝者からずれることにより、遂にはベッドから寝具を落下させ、更には就寝者が転落するような事態がしばしば生ずる。そのため寝具の落下を防止するため、更には就寝者の転落を防止するためにベッドのサイドフレームの受穴に、柵部材の脚を挿入して柵部材により寝具や就寝者の転落を防止しようとするベッドが従来から用いられている(特許文献１)。然し、この手法によると、サイドフレームの上面に設けられている挿入穴に柵部材の脚を挿入するという簡易な手段で柵を固定することは出来るが、柵部材の脚の挿入条件は常に一定で、その高さ、或いは位置を変更することは考えられていなかった。
【先行技術文献】
【特許文献】
【０００３】
【特許文献１】特開平１０−３３５９６号公報
【考案の概要】
【考案が解決しようとする課題】
【０００４】
本考案は、上記の点に鑑みて、就寝時に自然と身体を動かした際に身体を被っている掛布団等が身体の上から移動してベッドから落下するのを防止し、或いは就寝者が転落するのを防止する目的で使用する布団ガードのベッドへの固定手段を改良し、布団ガードの取り付け位置を就寝者に沿って上半身側或いは腰部側など適宜の位置に取り付けられるようにすると共に、かつ、その高さを選択して変更できるようにすることを目的としている。
【課題を解決するための手段】
【０００５】
本考案のベッドは、側面に、複数個のサイドレールボルト孔を連接してなるサイドレールボルト孔列を複数段設けてなるサイドレールと、上記サイドレールボルト孔列のサイドレールボルト孔のピッチと等しいピッチの布団ガードボルト孔を、前記サイドレールボルト孔列と同間隔でサイドレールボルト孔列より多い複数段設けてなる布団ガードとよりなり、サイドレールと布団ガードとは、ボルト孔に挿入したボルトにより固定されていることを特徴とする布団ガードを有する。上記布団ガードは、サイドレールに対し、直交する方向にベッド上方に延びる板状体をなしている。
【考案の効果】
【０００６】
本考案のベッドは、サイドレールに設けたボルト孔と布団ガードの固定用ボルト孔にボルトを挿入し両者を固定しているが、前記布団ガードとサイドレールとのボルト孔を適宜選択することで、布団ガードの取り付け位置を適宜身体の左右いずれかのサイドに選択して取り付けられ、かつ、身体に対応する位置も上半身近辺或いは下半身近辺など適宜変更できるばかりでなく、布団ガードの高さも任意に変更することが出来るので、就寝時の入眠に悪影響を生ずることなく、各個人個人の好みに適した状態で就眠することが可能となる。
【図面の簡単な説明】
【０００７】
【図１】本考案ベッドフレーム及びマットレス等を分解した状態の斜視図。
【図２】ベッドのサイドレールに布団ガードを取り付けた状態を示し、Ａは布団ガードをサイドレールに対し低い位置に、Ｂは布団ガードをサイドレールに対し高い位置に取り付けた状態を示す側面図。
【考案を実施するための最良の形態】
【０００８】
考案を実施するための形態を図面と共に次に説明する。
本実施例のベッド１は、ヘッドボード２とフットボード３とを平行する２枚のサイドレール４，４でロ字状に連結構成し、サイドレール４，４の中間部分において両サイドレール４，４間に梁材５を渡し日字形にベッドフレーム６を形成してなり、ベッドフレーム６上に床板体７を置き、その上にマットレス８等を乗せている。図示の例ではサイドレール４，４は、ベッド１を置く部屋の床面とは若干離れるようヘッドボード２、フットボード３に固定金具６ａにより固定されている。図１に示す例では、ヘッドボード２全体を箱形に構成し、上部を飾り棚状とし、下部は物品収納可能なスペースとしているが、ヘッドボード２、フットボード３は、板状或いは適宜任意の機能を有するものとして差し支えない。ヘッドボード２とフットボード３を連結しているサイドレール４，４には、就寝中に掛布団等の寝具が落下するのを防止する等の目的で布団ガード９を設けている。
【０００９】
布団ガード９は板状体をなし、その上部には適宜装飾を施すことも可能であり、下部には布団ガード９をサイドレール４に取り付ける手段として、複数の布団ガードボルト孔１０を設けている。そして、サイドレール４には、サイドレールボルト孔１１を設け、前記布団ガードボルト孔１０とサイドレールボルト孔１１とを重ね、両孔１０，１１にボルト１２（図１に図示）を挿通し固定する。
【００１０】
その詳細を説明する。サイドレール４の側面には、サイドレールボルト孔１１の複数を所定ピッチＰで列設してなるサイドレールボルト孔列１３を間隔Ｓを有して（図示の例では１３ａ、１３ｂの２段）設ける。サイドレール４にサイドレールボルト孔１１を配する部位は、上半身側のみでも、或は、ヘッドボード側からフットボード側まで全域でも良い。板状体の布団ガード９の左右両側縁には上下方向に間隔Ｓを有して複数の布団ガードボルト孔１０が設けられている。上記の上下方向間隔Ｓは，前記したサイドレールボルト孔列１３の間隔Ｓと同一である。
【００１１】
上記サイドレール４のボルト孔は１１は、左右ガイドレール４のいずれにも設けられており、布団ガード９をサイドレール４に取り付ける際には任意の側のサイドレール４の外側に布団ガード９を当て、布団ガード９のボルト孔１０とサイドレール４のボルト孔１１とを合わせて固定ボルト１２を挿入し締め付けることで任意の側にサイドレール４に布団ガード９を取り付けられる。また、両サイドのサイドレール４，４に取り付けることも可能である。
【００１２】
布団ガード９は、図２に示すごとく、ベッドのサイドレール４の高さを変化させた際でも、布団ガード９の高さはそのままに保って、サイドレール４に固定することも可能である。即ち、図２Ａに示すごとくサイドレール４が高い位置にあったものを、図２Ｂに示すごとくサイドレール４を低くした場合について説明する。図２Ａに示す布団ガード９は、サイドレール４のボルト孔列１３ａと１３ｂとに、間隔Ｓを有して上中下３つの高さの異なる位置ＬＡ，ＬＢ，ＬＣに設けられているボルト孔１０の内、ＬＡ，ＬＢの位置にあるボルト孔１０を一致させて固定されていたが、図２Ｂに示すごとく、サイドレール４のボルト孔列１３ａ、１３ｂに布団ガード９のＬＢ、ＬＣの位置に設けられているボルト孔１０を一致させてボルト１２を挿入固定することで、サイドレール４に対して布団ガード９の高さを高くすることが出来る。上記高さの調節は、布団ガード９に設ける高さを変化させたボルト孔１０の数を増加すれば大幅に変化させ得る。
【００１３】
上記において、サイドレール４のボルト孔列１３ａ．１３ｂの間隔Ｓと、布団ガード９の上中下の３位置に設けた布団ガードボルト孔１０の間隔Ｓとは同一である。そして、布団ガード９の両側縁に設けられている布団ガードボルト孔１０の水平方向の間隔は、サイドレール４のボルト孔１１のピッチＰと等しいか、あるいはその整数倍とする。上記サイドレール４に設けられたサイドレールボルト孔１１は、サイドレール４の長手方向に複数が列設しているため、布団ガード９の取付位置を就寝者に対してどのような位置とするかによって、サイドレール４と布団ガード９とのそれぞれのボルト孔１１，１０の合致位置を変更することで、ベッド長手方向上の位置決めも自由に行うことができる。
【符号の説明】
【００１４】
１  ベッド
２  ヘッドボード
３  フットボード
４  サイドレール
５  梁材
６  ベッドフレーム
７  床板体
８  マットレス
９  布団ガード
１０  布団ガードボルト孔
１１  サイドレールボルト孔
１２  固定ボルト
１３  サイドレールボルト孔列       
【図１】
0003152094.tif 000003
【図２】
0003152094.tif 000004